(57)【要約】  本発明は、双安定ネマチックのドットマトリクス液晶表示パネルの駆動方法において、寄生信号に起因する「にじみ」を発生させないようにすることを目的とする。  正極駆動または負極駆動のみで白黒を選択できる双安定ネマチックのドットマトリクス液晶表示パネルの駆動方法において、非選択時に発生する寄生信号（４０）による直流分を、寄生信号（４０）とパルス幅が同等の極性が反対のキャンセルパルス（４１）でキャンセルする。  キャンセルパルス（４１）は、コモン選択信号（２５）に付加パルス（３５）を追加し、コモン非選択信号（２６）に付加パルス（３６）を追加することによって発生させる。  本発明は、電子棚札や電子ペーパーに利用できる。
2010095539.tif 000002
【特許請求の範囲】
【請求項１】
略平行に対向して配置された一対の基板と、
前記基板の対向面側の面上にマトリックス状に形成された複数のコモン電極と複数のセグメント電極と、
前記コモン電極と前記セグメント電極の上に形成された配向膜と、
前記配向膜によって狭持される２つの安定した配向状態をもち電界を切ってもその配向状態を保持する双安定性を有するネマチック液晶の分子と、
前記ネマチック液晶の分子の外側に配置される少なくとも１枚の偏光板から構成され、
前記コモン電極に接続するコモン駆動部から液晶の書き換えを行う選択信号および非選択信号のいずれか１つを前記ネマチック液晶へ印加し、
前記セグメント電極に接続するセグメント駆動部から２つの安定した配向状態を選択する信号を前記ネマチック液晶へ選択式に印加し、
前記コモン電極とセグメント電極間の電界であるコモン・セグメント間電圧により画像を表示させる双安定ネマチックのドットマトリクス液晶表示パネルの駆動方法において、
前記ネマチック液晶へ信号を入力と次の信号の入力との間の期間に、前記コモン駆動部から前記非選択信号とセグメント駆動部からの信号が前記ネマチック液晶へ印加することで生じる寄生信号を打ち消すため、前記コモン駆動部または前記セグメント駆動部から、前記寄生信号の電荷量と略等しい電荷量を持ち、かつ前記寄生信号と極性が反対であるキャンセルパルスを印加する双安定ネマチックのドットマトリクス液晶表示パネルの駆動方法。
【請求項２】
前記キャンセルパルスは、前記コモン・セグメント間電圧上において、振幅とパルス幅とが寄生信号の振幅とパルス幅と略等しい請求項１に記載の双安定ネマチックのドットマトリクス液晶表示パネルの駆動方法。
【請求項３】
前記コモン電極から前記ネマチック液晶に蓄積される電荷量とセグメント電極からネマチック液晶に蓄積される電荷量とが異なる請求項１または２に記載の双安定ネマチックのドットマトリクス液晶表示パネルの駆動方法。
【請求項４】
略平行に対向して配置された一対の基板と、
前記基板の対向面側の面上にマトリックス状に形成された複数のコモン電極と複数のセグメント電極と、
前記コモン電極と前記セグメント電極の上に形成された配向膜と、
前記配向膜によって狭持される２つの安定した配向状態をもち電界を切ってもその配向状態を保持する双安定性を有するネマチック液晶の分子と、
前記ネマチック液晶の分子の外側に配置される少なくとも１枚の偏光板から構成され、
前記コモン電極に接続したコモン駆動部と、
前記セグメント電極に接続するセグメント駆動部と、
電源回路の管理と、前記コモン電極に接続するコモン駆動部から液晶の書き換えを行う選択信号および非選択信号のいずれか１つを前記ネマチック液晶へ印加する制御と、前記セグメント電極に接続するセグメント駆動部から２つの安定した配向状態を選択する信号を前記ネマチック液晶へ選択式に印加する制御とを管理する制御部とにより成り立ち、
前記コモン電極とセグメント電極間の電界であるコモン・セグメント間電圧により画像を表示させる双安定ネマチックのドットマトリクス液晶表示パネルの駆動デバイスにおいて、
前記制御部は、前記ネマチック液晶へ信号を入力と次の信号の入力との間の期間に、前記コモン駆動部からの前記非選択信号とセグメント駆動部からの信号が前記ネマチック液晶へ印加することで生じる寄生信号を打ち消すため、前記コモン駆動部または前記セグメント駆動部から、前記寄生信号の電荷量と略等しい電荷量を持ち、かつ前記寄生信号と極性が反対であるキャンセルパルスを印加する双安定ネマチックのドットマトリクス液晶表示パネルの駆動デバイス。
【請求項５】
前記キャンセルパルスは、前記コモン・セグメント間電圧上において、振幅とパルス幅とが寄生信号の振幅とパルス幅と略等しい請求項４に記載の双安定ネマチックのドットマトリクス液晶表示パネルの駆動デバイス。
【請求項６】
前記コモン電極から前記ネマチック液晶に蓄積される電荷量とセグメント電極からネマチック液晶に蓄積される電荷量とが異なる請求項４または５に記載の双安定ネマチックのドットマトリクス液晶表示パネルの駆動デバイス。
【発明の詳細な説明】
【技術分野】
【０００１】
本発明は、双安定液晶表示パネルの駆動方法及び駆動デバイスに関し、特に双安定ネマチックのドットマトリクス液晶表示パネルの駆動方法及び駆動デバイスに関する。
【背景技術】
【０００２】
従来、双安定ネマチックの特性を用いた液晶表示方法が知られている。【０００３】
この液晶表示方法を図２の（ｇ）〜（ｈ）に示す液晶の構造の模式図を基にして説明する。ほぼ平行に対向して配置された一対の基板１と、基板１の対向面側の基板上に電極２と配向膜３とが層状に配置され、基板１によってネマチック液晶の分子４が狭持されている。ネマチック液晶の分子４は配向膜３に刻まれた微細な溝により、所定の方向に配向している。また、基板１の紙面上面に偏光板５を備える。電圧を加えない状態では、図２の（ｈ）または図２の（ｊ）に示すいずれかの状態で安定している。【０００４】
ある所定の波形の電圧をネマチック液晶に印加することで、ネマチック液晶の分子４の配向の安定状態を破壊し、ネマチック液晶の分子を縦方向に吊り上げ（図２の（ｇ）の模式図）、その後、電圧を急に基準となるレベル０の電圧へと開放する。すると、ネマチック液晶の分子４の配向はツイスト（Ｔｗｉｓｔｅｄ）した状態となる（図２の（ｈ）の模式図を参照。）。【０００５】
また、ある所定の波形の電圧をネマチック液晶に印加することで、ネマチック液晶の分子４の配向の安定状態を破壊し、ネマチック液晶の分子４を縦方向に吊り上げ（図２の（ｉ）の模式図）、その後時間をかけて電圧を徐々にレベル０の電圧へと開放する。すると、ネマチック液晶の分子４はほぼ平行に配向した、ユニフォーム（Ｕｎｉｆｏｒｍ）の状態となる（図２の（ｊ）の模式図を参照。）。【０００６】
このツイスト状態とユニフォーム状態の２種類の状態は非常に安定しており、継続して電圧を印加し続けたり、周期的に電圧を印加し続けたりすることなく２種類の状態を維持する特長がある。【０００７】
特筆すべき点として、この２種類の状態によって光学特性が異なるため、白または黒など、希望する２種類の状態を作り出すことができる。この特性を利用し、ネマチック液晶をマトリクス状に配列し、駆動することにより画像を書き込み後は電力を消費せずに一定の状態の画像を保持可能な液晶表示パネルを実現することができる。この液晶表示パネルのことを、双安定液晶表示パネル、または双安定ネマチックのドットマトリクス液晶表示パネルと呼ぶ。また、便宜上、ネマチック液晶の分子４がツイスト状態の場合は白表示、ネマチック液晶の分子４がユニフォーム状態の場合は黒表示という前提で説明をするが、この白または黒の表示は、偏光板５の設置方向により異なるため、ツイスト状態で黒表示、ユニフォーム状態で白表示とすることも十分可能であり、白または黒以外でも、ほかの２種類の色の組み合わせも当然可能である。【０００８】
しかし、双安定液晶表示パネルを駆動する従来の方法で数秒毎に連続で書き換えると、パネル面に「にじみ」が生じて表示できなくなる現象が発生してしまう。特に、電圧特性の改善のために紫外線照射した双安定液晶表示パネルにおいて、上述の現象が顕著に現れる。【０００９】
この「にじみ」を解決する従来の他の方法として、画素書込み信号も画素消去信号も正負の対称的な電圧波形で形成する方法が知られている（例えば、特許文献１を参照。）。このような構造をとることで、寄生信号を完全にキャンセルすることができる。しかしながら、選択波形を対称にすると、双安定ネマチック液晶表示パネルの表示書き換えの性能が悪くなってしまうという問題がある。【００１０】
対称的な選択波形は、図１５に示す如く、プラス波形とマイナス波形の１セットで白または黒を入力するものであるが、プラス波形による正極駆動５１は高い電圧で書き込みをする必要があるのに対して、マイナス波形による負極駆動５２は低い電圧で書き込みをすることが出来る。【００１１】
光透過度を縦軸に駆動電圧を横軸としたグラフである図１６において、点線で示されるのが正極駆動の特性曲線、実線で示されるのが負極駆動の特性曲線である。点線部で示される正極駆動において、光透過度が低い符号５３で示される電圧範囲では液晶分子はツイストの状態となる。他方、光透過度が高い符号５４で示される電圧範囲では液晶分子はユニフォームの状態となる。【００１２】
同様に、実線で示される負極駆動において、光透過度が低い符号５５で示される電圧範囲において液晶分子はツイストの状態となる。他方、光透過度が高い符号５６で示される電圧範囲において液晶分子はユニフォームの状態となる。【００１３】
対称的な選択波形で駆動させた場合、正極駆動の閾値Ｖｐと負極駆動の閾値Ｖｍの間は、ユニフォーム状態とツイスト状態の間、Ｖｐ〜Ｖｍの範囲で示される混在領域５７となる。即ち、この混在領域５７では、駆動電圧Ｖｘはその絶対値が正極駆動の閾値Ｖｐの絶対値よりも小さく、負極側では負極駆動の閾値Ｖｍの絶対値より大きい。このため、対称的な選択波形で駆動させた場合、正極駆動と負極駆動は駆動電圧に対する液晶画素の光学特性が異なる。このような状態は交点画素毎に異なるので、液晶パネル全面では表示品質に大きなバラツキが生じるという問題がある。換言すれば、双安定ネマチック液晶表示パネルの書き換えの性能が悪いという問題がある。
【先行技術文献】
【特許文献】
【００１４】
【特許文献１】特開２００４−４５５２号公報
【発明の概要】
【発明が解決しようとする課題】
【００１５】
「にじみ」が発生する原因を追究したところ、以下の２点の課題があることが判明した。【００１６】
紫外線照射により配向膜の一部が分解して液晶中にマイナスイオンが増加する課題点と、対称的な電圧波形でないために生じる直流分を多く含んだ駆動波形で駆動すると配向膜が分解し、最終的には配向膜が壊れてしまう課題点である。【００１７】
よって、本発明が解決しようとする課題は、双安定ネマチックのドットマトリクス液晶表示パネルの駆動方法及び駆動デバイスにおいて、上記２点の課題点を解決し、書き換えの性能を損なわないようにして、寄生信号に起因する「にじみ」を発生させないようにすることである。
【課題を解決するための手段】
【００１８】
上記課題を解決するために、正極駆動または負極駆動のみで白黒を選択できる双安定ネマチックのドットマトリクス液晶表示パネルの駆動方法において、選択波形と次の選択波形との間に、寄生信号と極性が反対のキャンセルパルスを加え、寄生信号による直流分を打ち消すようにした。【００１９】
具体的な発明を、以下に示す。【００２０】
第１の発明として、略平行に対向して配置された一対の基板と、基板の対向面側の面上にマトリックス状に形成された複数のコモン電極と複数のセグメント電極と、コモン電極とセグメント電極の上に形成された配向膜と、配向膜によって狭持される２つの安定した配向状態をもち電界を切ってもその配向状態を保持する双安定性を有するネマチック液晶の分子と、ネマチック液晶の分子の外側に配置される少なくとも１枚の偏光板から構成され、コモン電極に接続するコモン駆動部から液晶の書き換えを行う選択信号および非選択信号のいずれか１つをネマチック液晶へ印加し、セグメント電極に接続するセグメント駆動部から２つの安定した配向状態を選択する信号をネマチック液晶へ選択式に印加し、コモン電極とセグメント電極間の電界であるコモン・セグメント間電圧により画像を表示させる双安定ネマチックのドットマトリクス液晶表示パネルの駆動方法において、ネマチック液晶へ信号を入力と次の信号の入力との間の期間に、コモン駆動部から非選択信号とセグメント駆動部からの信号がネマチック液晶へ印加することで生じる寄生信号を打ち消すため、コモン駆動部またはセグメント駆動部から、寄生信号の電荷量と略等しい電荷量を持ち、かつ寄生信号と極性が反対であるキャンセルパルスを印加すること。【００２１】
第２の発明として、上記第１の発明において、キャンセルパルスは、コモン・セグメント間電圧上において、振幅とパルス幅とが寄生信号の振幅とパルス幅と略等しいこと。【００２２】
第３の発明として、上記第１または２の発明において、コモン電極からネマチック液晶に蓄積される電荷量とセグメント電極からネマチック液晶に蓄積される電荷量とが異なること。【００２３】
第４の発明として、略平行に対向して配置された一対の基板と、基板の対向面側の面上にマトリックス状に形成された複数のコモン電極と複数のセグメント電極と、コモン電極とセグメント電極の上に形成された配向膜と、配向膜によって狭持される２つの安定した配向状態をもち電界を切ってもその配向状態を保持する双安定性を有するネマチック液晶の分子と、ネマチック液晶の分子の外側に配置される少なくとも１枚の偏光板から構成され、コモン電極に接続したコモン駆動部と、セグメント電極に接続するセグメント駆動部と、電源回路の管理と、コモン電極に接続するコモン駆動部から液晶の書き換えを行う選択信号および非選択信号のいずれか１つをネマチック液晶へ印加する制御と、セグメント電極に接続するセグメント駆動部から２つの安定した配向状態を選択する信号をネマチック液晶へ選択式に印加する制御とを管理する制御部とにより成り立ち、コモン電極とセグメント電極間の電界であるコモン・セグメント間電圧により画像を表示させる双安定ネマチックのドットマトリクス液晶表示パネルの駆動デバイスにおいて、制御部は、ネマチック液晶へ信号を入力と次の信号の入力との間の期間に、コモン駆動部からの非選択信号とセグメント駆動部からの信号がネマチック液晶へ印加することで生じる寄生信号を打ち消すため、コモン駆動部またはセグメント駆動部から、寄生信号の電荷量と略等しい電荷量を持ち、かつ寄生信号と極性が反対であるキャンセルパルスを印加すること。【００２４】
第５の発明として、上記第４の発明において、キャンセルパルスは、コモン・セグメント間電圧上において、振幅とパルス幅とが寄生信号の振幅とパルス幅と略等しいこと。【００２５】
第６の発明として、上記第４または５の発明において、コモン電極からネマチック液晶に蓄積される電荷量とセグメント電極からネマチック液晶に蓄積される電荷量とが異なること。
【発明の効果】
【００２６】
本発明により、双安定ネマチックのドットマトリクス液晶表示パネルの駆動方法及び駆動デバイスにおいて、非選択時に現れる寄生信号に起因する「にじみ」を発生させないようにすることができた。また、本発明により、双安定ネマチックのドットマトリクス液晶表示パネル駆動デバイスにおいて、表示書き換え性能を低下させないで、しかも従来の双安定ネマチックのドットマトリクス液晶表示パネルの駆動デバイスを大幅に変更することなく、寄生信号に起因する「にじみ」を発生させないように駆動する双安定ネマチックのドットマトリクス液晶表示パネルの駆動デバイスを提供することができた。
【図面の簡単な説明】
【００２７】
【図１】双安定液晶表示パネルを表示制御する一般的な機能ブロック図である。
【図２】コモン端子とセグメント端子にそれぞれ印加される電圧及びコモン・セグメント間電圧の波形に対応して交点画素が白または黒を表示する様子を模式的に示した双安定液晶のスイッチングの説明図である。
【図３】双安定液晶表示パネルのコモン端子とセグメント端子にそれぞれ印加される電圧波形を示す図である。
【図４】双安定液晶表示パネルのコモン・セグメント間電圧の波形を示す図である。
【図５】双安定液晶表示パネルの概略図である。
【図６】双安定ネマチックのドットマトリクス液晶表示パネルを駆動する方法であって、駆動モード（Ｍｏｄｅ−Ｃ）のコモン電圧、セグメント電圧及びコモン・セグメント間電圧の波形を示す図である。
【図７】Ｍｏｄｅ−Ａで駆動したときの双安定液晶表示パネルのコモン電圧、セグメンと電圧及びコモン・セグメント間電圧の波形を示す図である。
【図８】Ｍｏｄｅ−Ｂで駆動したときの双安定液晶表示パネルのコモン電圧、セグメンと電圧及びコモン・セグメント間電圧の波形を示す図である。
【図９】Ｍｏｄｅ−Ｃで駆動したときの双安定液晶表示パネルのコモン電圧、セグメンと電圧及びコモン・セグメント間電圧の波形を示す図である。
【図１０】Ｍｏｄｅ−Ｄで駆動したときの双安定液晶表示パネルのコモン電圧、セグメンと電圧及びコモン・セグメント間電圧の波形を示す図である。
【図１１】駆動モードＥ（Ｍｏｄｅ−Ｅ）で駆動された双安定液晶表示パネルのコモン電圧、セグメント電圧及びコモン・セグメント間電圧の波形を示す図である。
【図１２】本発明の実施例の駆動モードＥで駆動された双安定液晶表示パネルのコモン電圧、セグメンと電圧及びコモン・セグメント間電圧の波形を示す図である。
【図１３】従来の駆動モードＥで駆動されたときの双安定液晶表示パネルのコモン・セグメント間電圧のコモン・セグメント間電圧の波形を示す図である。
【図１４】本発明の実施例の駆動モードＥで駆動されたときの双安定液晶表示パネルのコモン・セグメント間電圧のコモン・セグメント間電圧の波形を示す図である。
【図１５】従来の対称的な選択波形の駆動信号で駆動した場合の波形図である。
【図１６】従来の対称的な選択波形の駆動信号で駆動した場合の正極駆動と負極駆動の駆動電圧に対する液晶画素の光学特性図である。
【発明を実施するための形態】
【００２８】
本発明の双安定液晶表示パネルの駆動方法および駆動デバイスは、双安定液晶表示パネルの駆動デバイスのハードウエアを変更することなく、且つ従来の駆動方法を部分的に変更することで実施できるものである。
【００２９】
本発明の実施例を説明する前に、双安定液晶表示パネルの構造について説明を行う。
【００３０】
図１は、双安定液晶表示パネル１０を表示制御するための一般的な機能ブロック図である。双安定液晶表示パネル１０は、水平方向のコモンラインを駆動するコモン駆動部１１、垂直方向のセグメントラインを駆動するセグメント駆動部１２、駆動電位（Ｖ０、Ｖ１２、Ｖ３４、Ｖ５、ＶＣＸ）を生成する電源回路１３、及びコモン駆動部１１とセグメント駆動部１２及び電源回路１３を制御する制御部１４から構成される駆動デバイスで駆動される。
【００３１】
制御部１４がコモン駆動部１１とセグメント駆動部１２を制御するための信号と役割は、通常のＳＴＮ駆動ドライバ回路と同様である。コモン駆動部１１に対しては、初期化信号ＲＥＳＥＴＸがあり、スキャンタイミングを決めるＣ−Ｄａｔａと書き込み用クロックのＣＬがあり、交流化信号ＦＲＣＯＭや表示消去のＤｉｓｐＯｆｆｘ、ＣＣＸがある。セグメント駆動部１２に対しては、初期化信号ＲＥＳＥＴＸがあり、表示画像データを与えるＳ−Ｄａｔａと書き込み用クロックＸＣＫがあり、交流化信号ＦＲＳＥＧや表示消去のＤｉｓｐＯｆｆｘがある。電源回路１３をコモン駆動部１１の中に取り込む事、さらにセグメント駆動部１２をも取り込んで１つのＩＣにする事は当然可能である。
【００３２】
図２は、双安定ネマチック液晶の状態の切り替えであるスイッチングを説明する図である。ほぼ平行に対向して配置された一対の基板１と、基板１の対向面側の基板上に電極２と配向膜３とが層状に配置され、基板１によってネマチック液晶の分子４が狭持されている。ネマチック液晶の分子４は配向膜３に刻まれた微細な溝により、所定の方向に配向している。また、紙面上面側の基板１の外側に偏光板５が設けられる。双安定液晶表示パネル１０のコモンとセグメントに特定の信号を印加して、ネマチック液晶分子のねじれ方向をツイスト状態とユニフォーム状態の２種類の状態に切り替える様子を示している。書込み信号は白書込み信号と黒書込み信号の２種類であり、また表示信号は白表示電圧と黒表示電圧の２種類である。
【００３３】
先ず、双安定液晶表示パネル１０のコモン電極とセグメント電極の交点画素で白を表示する場合について説明する。図２の（ａ）において、コモン端子に印加される選択信号の電圧波形は、選択期間Ｔの最初の時間間隔ａはレベル０、時間間隔ｂとｃは負のレベル−Ｖ、続く時間間隔ｄとｅは正のレベル＋Ｖ、続く時間間隔ｆは正のレベル＋Ｖ−ｖ、そして残りの時間間隔ｇはレベル０となる波形である。
【００３４】
セグメント端子に印加される白書込み信号の電圧波形は、図２の（ｂ）に示す如く、選択期間Ｔの最初の時間間隔ａからｅはレベル０、続く時間間隔ｆは負のレベル−ｖ、そして残りの時間間隔ｇはレベル０となる波形である。
【００３５】
上述の如く時間と共に変移する選択信号と白書込み信号が印加されると、コモン端子とセグメント端子の間の差の電圧である白表示電圧の波形は、時間と共に変移する波形となる。即ち、図２の（ｃ）に示す如く、白表示電圧波形は、選択期間Ｔの最初の時間間隔ａはレベル０、続く時間間隔ｂとｃは負のレベル−Ｖ、続く時間間隔ｄからｅは正のレベル＋Ｖ、そして残りの時間間隔ｇはレベル０となる波形である。このように、白表示電圧の波形は、負のレベル−Ｖボルトと正のレベル＋Ｖの間で電圧遷移を行うものである。
【００３６】
このような波形の白表示電圧をネマチック液晶に印加するのは、まず負のレベル−Ｖの電圧でネマチック液晶の分子の配向の安定状態を破壊し、ネマチック液晶の分子４を縦方向に吊り上げ（図２の（ｇ）の模式図）、その後に正のレベル＋Ｖの電圧をレベル０の電圧へと開放してネマチック液晶の分子４を配向方向へ寝かし（図２の（ｈ）の模式図）、ツイスト状態にするためである。このようにして、図２の（ｃ）に示す波形の白表示電圧が印加された双安定液晶表示パネル１０の交点画素は白を表示する。
【００３７】
次に、双安定液晶表示パネル１０のコモン電極とセグメント電極の交点画素で黒を表示する場合について説明する。コモン端子に印加される選択信号の電圧波形は、図２の（ａ）の波形と同じである。
【００３８】
黒書込み信号の電圧波形は、図２の（ｅ）に示す如く、選択期間Ｔの最初の時間間隔ａからｃはレベル０、続く時間間隔ｄは負のレベル−ｖ、そして残りの時間間隔ｅからｇはレベル０となる波形である。
【００３９】
上述の如く時間と共に変移する選択信号と黒書込み信号が印加されると、コモン端子とセグメント端子の間の差の電圧である黒表示電圧の波形は、時間と共に変移する波形となる。即ち、図２の（ｆ）に示す如く、黒表示電圧の波形は、選択期間Ｔの最初の時間間隔ａはレベル０、続く時間間隔ｂとｃは負のレベル−Ｖ、続く時間間隔ｄは正のレベル＋（Ｖ＋ｖ）、続く時間間隔ｅは正のレベル＋Ｖ、続く時間間隔ｆは正のレベル＋Ｖ−ｖ、そして残りの時間間隔ｇはレベル０となる波形である。このように、黒表示電圧は、−Ｖと＋（Ｖ＋ｖ）の間で電圧遷移を行うものである。
【００４０】
このような波形の黒表示電圧をネマチック液晶に印加するのは、まず負のレベル−Ｖでネマチック液晶の分子の配向の安定状態を破壊し、ネマチック液晶の分子４を縦方向に吊り上げ（図２の（ｉ）の模式図を参照。）、その後に正のレベル＋（Ｖ＋ｖ）を正のレベル＋Ｖに、正のレベル＋Ｖを正のレベル＋Ｖ−ｖに、最後に正のレベル＋Ｖ−ｖをレベル０へと順に段階的に低下させてネマチック液晶の分子４をほぼ平行に配向し（図２の（ｊ）の模式図を参照。）、ユニフォーム状態とするためである。このようにして、図２の（ｆ）に示す黒表示電圧が印加された双安定液晶表示パネル１０の交点画素は、黒を表示する。
【００４１】
図３は、双安定液晶表示パネル１０のコモン端子とセグメント端子に印加される電圧波形の例を示す図である。図３の（ａ）に示すのはｎ行目のコモン端子ＣＯＭ［ｎ］、図３の（ｂ）に示すのは（ｎ＋１）行目のコモン端子ＣＯＭ［ｎ＋１］、図３の（ｃ）に示すのは（ｎ＋２）行目のコモン端子ＣＯＭ［ｎ＋２］の連続する３行と、これらと交差する１列のセグメント端子、即ち図３の（ｄ）に示すｍ列目のセグメント端子ＳＥＧ［ｍ］の波形を示している。
【００４２】
また、図５は、双安定液晶表示パネル１０連続する３行のコモン端子ＣＯＭ［ｎ］、ＣＯＭ［ｎ＋１］及びＣＯＭ［ｎ＋２］とこれらと交差するｍ列目のセグメント端子ＳＥＧ［ｍ］、ＳＥＧ［ｍ＋１］、ＳＥＧ［ｍ＋２］、ＳＥＧ［ｍ＋３］に印加される電圧波形を時間の経過に従って示されている。なお、破線の円で囲った部分は、選択信号の電圧波形を示す。
【００４３】
選択時にコモン端子に印加される選択信号の電圧波形は、図３の（ａ）〜（ｃ）の破線の円で囲った部分に示す如くで、選択期間Ｔの最初の時間間隔ａはレベル０、続く時間間隔ｂは正のレベル＋Ｖ２、続く時間間隔ｃとｄは正のレベル０、そして残りの時間間隔ｅはＶＣＸ、とｆはレベル０となる波形である。但し、Ｖ２＞ＶＣＸである。
【００４４】
非選択時にコモン端子に印加される非選択信号の電圧波形は、図３の（ａ）〜（ｃ）に示す如く、選択期間Ｔの最初の時間間隔ａとｂはレベル０、続く時間間隔ｃからｅは正のレベル＋Ｖ２、そして残りの時間間隔ｆはレベル０となる波形である。
【００４５】
コモン端子に印加される信号の電圧波形は、図２と図３では大きく異なっている。図２に示す選択信号の電圧波形は、正負に大きく変移する電圧波形であるのに対して、図３に示す選択信号の電圧波形は正側のみにおいて大きく変移する波形である。なお、図３に示す非選択信号も正側のみにおいて大きく変移する波形である。
【００４６】
ｎ行目のコモン端子ＣＯＭ［ｎ］には、図３の（ａ）に示す如く、スキャン時間区間ｔ１において選択信号が、スキャン時間区間ｔ２とｔ３において非選択信号がそれぞれ印加されている。続くｎ＋１行目のコモン端子ＣＯＭ［ｎ＋１］には、図３の（ｂ）に示す如く、スキャン時間区間ｔ１において非選択信号が、スキャン時間区間ｔ２において選択信号が、更にスキャン時間区間ｔ３において非選択信号がそれぞれ印加されている。更にそれに続くｎ＋２行目のコモン端子ＣＯＭ［ｎ＋２］には、図３の（ｃ）に示す如くスキャン時間区間ｔ１とｔ２において非選択信号が、スキャン時間区間ｔ３において選択信号がそれぞれ印加されている。
【００４７】
セグメント端子に印加されるセグメント電圧、即ち、白書込み信号６２と黒書込み信号６１の電圧波形ＳＥＧ［ｍ］は、図３の（ｄ）に示す如くである。ここでは、スキャン時間区間ｔ１において白書込み信号６２が、スキャン時間区間ｔ２において黒書き込み信号６１が、そして、スキャン時間区間ｔ３において白書き込み信号６２がそれぞれ印加されている。ここで、Ｖ１＞Ｖ２である。
【００４８】
白書込み信号の電圧波形は、選択期間Ｔの最初の時間間隔ａとｂはレベル０、続く時間間隔ｃとｄは正のレベル＋Ｖ２、続く時間間隔ｅは正のレベル＋Ｖ１、そして残りの時間間隔ｆはレベル０となる波形である。
【００４９】
また、黒書込み信号の電圧波形は、選択期間Ｔの最初の時間間隔ａとｂはレベル０、続く時間間隔ｃは正のレベル＋Ｖ１、続く時間間隔ｄとｅは正のレベル＋Ｖ２、そして残りの時間間隔ｆはレベル０となる波形である。
【００５０】
上述の如く、コモン端子に選択信号または非選択信号が、セグメント端子に白書込み信号または黒書込み信号が印加されると、コモン端子とセグメント端子間のコモン・セグメント間電圧、即ち白表示電圧と黒表示電圧は、図４の（ａ）〜（ｃ）にそれぞれ示す如くとなる。
【００５１】
ｎ行目のコモン端子ＣＯＭ［ｎ］とｍ列目のセグメント端子ＳＥＧ［ｍ］の交点画素には、図４の（ａ）に示す如く、スキャン時間区間ｔ１においては、選択期間Ｔの最初の時間間隔ａはレベル０、続く時間間隔ｂは正のレベル＋Ｖ２、続く時間間隔ｃとｄは負のレベル−Ｖ２、続く時間間隔ｅは負のレベル−Ｖ３、そして残りの時間間隔ｆの時間はレベル０となる波形の白表示電圧６４が印加されている。
【００５２】
スキャン時間区間ｔ２においては、選択期間Ｔの最初の時間間隔ａとｂはレベル０、続く時間間隔ｃは負のレベル−Ｖ５、そして残りの時間間隔ｄからｆはレベル０となる。ここに電圧波形の第１の寄生信号４０が印加されている。更に、スキャン時間区間ｔ３においては、選択期間Ｔの最初の時間間隔ａからｄはレベル０、続く時間間隔ｅは負のレベル−Ｖ５、そして残りの時間間隔ｆはレベル０となる電圧波形の第２の寄生信号４０が印加されている。
【００５３】
次に（ｎ＋１）行目のコモン端子ＣＯＭ［ｎ＋１］とｍ列目のセグメント端子ＳＥＧ［ｍ］の交点画素には、図４の（ｂ）に示す如く、スキャン時間区間ｔ１においては第２の寄生信号４０が、スキャン時間区間ｔ２においては黒表示電圧６３が、そしてスキャン時間区間ｔ３においては第１の寄生信号４０がそれぞれ印加されている。黒表示電圧６３は、選択期間Ｔの最初の時間間隔ａはレベル０、続く時間間隔ｂは正のレベル＋Ｖ２、続く時間間隔ｃは負のレベル−Ｖ１、続く時間間隔ｄは負のレベル−Ｖ２、続く時間間隔ｅは負のレベル−Ｖ４、そして残りの時間間隔ｆの時間はレベル０となる波形の電圧である。
【００５４】
更に（ｎ＋２）行目のコモン端子ＣＯＭ［ｎ＋１］とｍ列目のセグメント端子ＳＥＧ［ｍ］の交点画素には、図４の（ｃ）に示す如く、スキャン時間区間ｔ１においては第１の寄生信号４０が、スキャン時間区間ｔ２においては第２の寄生信号４０が、そしてスキャン時間区間ｔ３においては白表示電圧６４がそれぞれ印加されている。白表示電圧６４は、選択期間Ｔの最初の時間間隔ａはレベル０、続く時間間隔ｂは正のレベル＋Ｖ２、続く時間間隔ｃからｄは負のレベル−Ｖ２、続く時間間隔ｅは負のレベル−Ｖ３、そして残りの時間間隔ｆの時間はレベル０となる波形の電圧である。
【００５５】
上述した如く、双安定液晶表示パネル１０の表示は、選択信号の電圧波形を出力する１本のコモンと、全セグメントの信号状態によって１ライン分の白黒が決定し、１画面分の全コモンを順次スキャンする事により画面全体の表示が決定する。スキャンを行うのはその瞬間においては画面全体のうちの１本のコモンのみであり、残りの大多数のコモンは非選択信号の電圧波形を出力する。双安定液晶表示パネルの充放電電荷量を考える時は、コモンの大多数が出力する非選択信号の電圧とセグメント端子に印加された白書込み信号または黒書込み信号の電圧の電位差に着目する必要がある。つまり、コモン端子とセグメント端子間のコモン・セグメント間電圧の波形における寄生信号が双安定液晶表示パネル１０を駆動する上での充放電電荷量に大きく寄与し、消費電流の大きさに影響を与える。
【００５６】
図６は、双安定液晶表示パネルの特定の駆動モード（Ｍｏｄｅ−Ｃ）の波形を示している。双安定液晶表示パネルに印加される４種類の波形は、コモン端子に選択時に印加される選択信号、コモン端子に非選択時に印加される非選択信号、セグメント端子に印加される白書込み信号６２、セグメント端子に印加される黒書込み信号６１である。これらの電圧波形は図３に示したものと同じである。図６の（ａ）はコモン端子の波形、図６の（ｂ）はセグメント端子の波形、図６の（ｃ）はコモン・セグメント間電圧の波形、図６の（ｄ）はＭＰＵからセグメント駆動部、またはコモン駆動部へ出力される信号を示したものである。
【００５７】
また、図６には、コモン端子とセグメント端子の交点画素に印加された４種類の電圧、即ち白表示電圧６４、黒表示電圧６３、第１の寄生信号及び第２の寄生信号が示されている。寄生信号は符号４０で示す。これらの電圧波形は図４に示したものと同じである。
【００５８】
図６の（ｄ）に記した「１」と「０」の数字は、コモン端子に印加されるコモン電圧の波形とセグメント端子に印加されるセグメント電圧の波形の制御信号である。コモン電圧の波形はＣＣＸ、Ｃ−Ｄａｔａ、ＦＲ、ＤｉｓｐＯｆｆｘの４つの信号で制御される。セグメント電圧の波形Ｓ−Ｄａｔａ、ＦＲ、ＤｉｓｐＯｆｆｘの３つの信号で制御される。セグメント駆動デバイスとして、既に市販されている一般的なＳＴＮ液晶を通常駆動するための（ＳＡ駆動方式ではない。）ドライバを用いた場合、下記の表１はセグメント駆動ドライバ（ＳＥＧ−Ｄｒｖ．）の入出力テーブルの真理値表である。出力電圧は３つの制御信号により制御されるので、図４に示すようなセグメント制御信号とセグメント電圧波形の対応が成立する。
【００５９】
【表１】
2010095539.tif 000003
双安定液晶表示パネル１０を駆動するコモン電圧の波形には、一般的なＳＴＮ液晶の通常駆動には存在しないＶＣＸなる電位があるので、その電位を出力させるための制御信号をＣＣＸとしている。下記に示す表２および表３はコモン駆動ドライバ（ＣＯＭ−Ｄｒｖ．）の入出力テーブルの真理値表である。この駆動モード（Ｍｏｄｅ−Ｃ）の欄に示すようにコモン出力を制御すれば、図６に示すようなコモン制御信号とコモン電圧波形の対応が成立する。
【００６０】
【表２】
2010095539.tif 000004
【００６１】
【表３】
2010095539.tif 000005
図７から図１０は、双安定液晶表示パネル１０の４種類の駆動モード（Ｍｏｄｅ−Ａ、Ｍｏｄｅ−Ｂ、Ｍｏｄｅ−Ｃ、Ｍｏｄｅ−Ｄ）を、図６の駆動モード（Ｍｏｄｅ−Ｃ）表示方法と同様に各モードの特徴を示す４種類の波形によりそれぞれ示している。
【００６２】
また、図７から図１０において、各図の（ａ）はコモン端子からのの電圧波形をあらわし、（ｂ）はセグメント信号の波形を表し、（ｃ）はコモン端子から電圧波形とセグメント端子からの電圧波形の差である、合成された波形を示す。横軸は、各図の（ａ）から（ｃ）まで共通となっており、紙面左側から、ｔ１で示される列はコモン端子に選択信号が印加されてセグメント端子に白書き込み信号が印加されている時、ｔ２で示される列はコモン端子に選択信号が印加されてセグメント端子に黒書き込み信号が印加されている時、ｔ３で示される列はコモン端子に非選択信号が印加されてセグメント信号に白書き込み信号が印加されている時、そしてｔ４で示される列はコモン端子に非選択信号が印加されセグメント信号に黒書き込み信号が印加されている時の状態を表す。
【００６３】
すなわち、各図の（ｃ）のｔ１は白表示電圧７４の波形を示し、各図の（ｃ）のｔ２は黒表示電圧７３の波形を示す。
【００６４】
図７のように駆動モードＡ（Ｍｏｄｅ−Ａ）で駆動した場合、非選択信号が印加されたコモン端子と白書込み信号７２が印加されたセグメント端子の交点画素には、選択期間Ｔの時間間隔ｃにおいて負の矩形波の寄生信号４０が発生している。また、非選択信号が印加されたコモン端子と黒書込み信号７１が印加されたセグメント端子の交点画素には、選択期間Ｔの時間間隔ｅにおいて負の矩形波の寄生信号４０が発生している。
【００６５】
図８のように駆動モードＢ（Ｍｏｄｅ−Ｂ）で駆動した場合、非選択信号が印加されたコモン端子と白書込み信号８２が印加されたセグメント端子の交点画素には、選択期間Ｔの時間間隔ｅにおいて正の矩形波の寄生信号４０が発生している。また、非選択信号が印加されたコモン端子と黒書込み信号８１が印加されたセグメント端子の交点画素には、選択期間Ｔの時間間隔ｃにおいて正の矩形波の寄生信号４０が発生している。
【００６６】
図９のように駆動モードＣ（Ｍｏｄｅ−Ｃ）で駆動した場合、非選択信号が印加されたコモン端子と白書込み信号９２が印加されたセグメント端子の交点画素には、選択期間Ｔの時間間隔ｅにおいて負の矩形波の寄生信号４０が発生している。また、非選択信号が印加されたコモン端子と黒書込み信号９１が印加されたセグメント端子の交点画素には、選択期間Ｔの時間間隔ｃにおいて負の矩形波の寄生信号４０が発生している。
【００６７】
図１０のように駆動モードＤ（Ｍｏｄｅ−Ｄ）で駆動した場合、非選択信号が印加されたコモン端子と白書込み信号１０２が印加されたセグメント端子の交点画素には、選択期間Ｔの時間間隔ｅにおいて負の矩形波の寄生信号４０が発生している。また、非選択信号が印加されたコモン端子と黒書込み信号１０１が印加されたセグメント端子の交点画素には、選択期間Ｔの時間間隔ｃにおいて負の矩形波の寄生信号４０が発生している。このモードＤでは、他のモードと異なりコモン端子とセグメント端子の電圧の最低値はＶ５ではなく、Ｖ３４であることが特徴である。それにより合成したコモン・セグメント間の波形は相対的に狭くなる効果がある。
【００６８】
双安定ネマチックのドットマトリクス液晶表示パネルの駆動デバイスに正極駆動モード（Ｍｏｄｅ−Ａ、Ｍｏｄｅ−Ｂ）と負極駆動モード（Ｍｏｄｅ−Ｃ、Ｍｏｄｅ−Ｄ）の複数の駆動モードを備えさせたことにより、双安定液晶表示パネルの特性に合わせた合理的な駆動が可能となる。
【００６９】
以上が双安定ネマチックのドットマトリクス液晶表示パネルの駆動方法の説明である。この方法に本発明の特長を加えたものを、以下の実施例に示す。
【実施例】
【００７０】
本発明に係る駆動方法が適用される駆動デバイス、即ち正極駆動または負極駆動のみで白黒を選択する双安定ネマチックのドットマトリクス液晶表示パネルの駆動デバイスは、従来のハードウエア構成は同じである。【００７１】
図１１から図１４を参照しながら、双安定ネマチックのドットマトリクス液晶表示パネルの駆動方法を説明する。理解を容易にするために、本発明に係る双安定液晶表示パネルの駆動方法と従来の駆動方法と対比させて説明する。【００７２】
（寄生信号が発生する従来の駆動方法）
図１１は、正極駆動または負極駆動のみで白黒を選択できる双安定ネマチックのドットマトリクス液晶表示パネルの従来の駆動モード（Ｍｏｄｅ−Ｅ）で駆動した場合の電圧波形を示す。図１１の（ａ）はセグメント端子に印加される黒書込み信号２３と白書込み信号２４、図１１の（ｂ）はコモン端子に印加されるコモン選択信号２５、図１１の（ｃ）はコモン端子に印加されるコモン非選択信号２６、図１１の（ｄ）は選択時のコモン・セグメント間電圧である黒表示電圧３３と白表示電圧３４、図１１の（ｅ）は、非選択時のコモン・セグメント間電圧である寄生信号４０の電圧波形をそれぞれ示す。【００７３】
黒書込み信号２３の電圧波形は、図１１の（ａ）に示す如く、選択期間Ｔの最初の時間間隔ａとｂは正のレベル＋Ｖ５、続く時間間隔ｃは正のレベル＋Ｖ１２、続く時間間隔ｄは正のレベル＋Ｖ０、続く時間間隔ｅは正のレベル＋Ｖ１２、そして残りの時間間隔ｆは正のレベル＋Ｖ５となる波形である。また、時間間隔は図１１に示されるように均一な間隔で分けられているものではなく、各時間間隔はそれぞれ特有の期間を有している。【００７４】
白書込み信号２４の電圧波形は、図１１の（ａ）に示す如く、選択期間Ｔの最初の時間間隔ａとｂは正のレベル＋Ｖ５、続く時間間隔ｃとｄは正のレベル＋Ｖ１２、続く時間間隔ｅは正のレベル＋Ｖ０、そして残りの時間間隔ｆは正のレベル＋Ｖ５となる波形である。【００７５】
コモン選択信号２５の電圧波形は、図１１の（ｂ）に示す如く、選択期間Ｔの最初の時間間隔ａは正のレベル＋Ｖ５、続く時間間隔ｂは正のレベル＋Ｖ１２、続く時間間隔ｃとｄは正のレベル＋Ｖ５、続く時間間隔ｅは正のレベル＋ＶＣＸ、そして残りの時間間隔ｆは正のレベル＋Ｖ５となる波形である。【００７６】
コモン非選択信号２６の電圧波形は、図１１の（ｃ）に示す如く、選択期間Ｔの最初の時間間隔ａとｂは正のレベル＋Ｖ５、続く時間間隔ｃからｅは正のレベル＋Ｖ１２、そして残りの時間間隔ｆは正のレベル＋Ｖ５となる波形である。【００７７】
選択時にコモン端子とセグメント端子に上述の如き電圧が印加されると、コモン端子とセグメント端子間のコモン・セグメント間電圧は、図１１の（ｄ）に示す如くとなる。なお、図１１の（ｄ）において、消去パルス３１は正のレベル＋５の矩形波であり、これに続いて印加される消去パルスの直流分消去用パルス３２は負のレベル−５の矩形波である。【００７８】
コモン選択信号２５と黒書込み信号２３がそれぞれ印加されたときの黒表示電圧３３は、選択期間Ｔの最初の時間間隔ａはレベル０、続く時間間隔ｂは正のレベル＋４、続く時間間隔ｃは負のレベル−４、続く時間間隔ｄは負のレベル−５、続く時間間隔ｅは負のレベル−２、そして残りの時間間隔ｆの時間は正のレベル＋０となる波形の電圧である。【００７９】
また、コモン選択信号２５と白書込み信号２４がそれぞれ印加されたときの白表示電圧３４は、選択期間Ｔの最初の時間間隔ａはレベル０、続く時間間隔ｂは正のレベル＋４、続く時間間隔ｃとｄは負のレベル−４、続く時間間隔ｅは負のレベル−３、そして残りの時間間隔ｆの時間はレベル０となる波形の電圧である。【００８０】
非選択時にコモン端子とセグメント端子に上述の如き電圧が印加されると、コモン端子とセグメント端子間のコモン・セグメント間電圧は、図１１の（ｅ）に示す如くとなる。なお、図１１の（ｅ）において、消去パルス３１は正のレベル＋５の矩形波であり、これに続いて印加される消去パルスの直流分消去用パルス３２は負のレベル−５の矩形波である。また、消去パルス３１は消去パルス発生用信号２１から来たものであり、消去パルスの直流分消去用パルス３２は、消去パルス発生用信号の直流分キャンセル用パルス２２から来たものである。【００８１】
コモン非選択信号２６と黒書込み信号２３がそれぞれ印加されたときには、選択期間Ｔの最初の時間間隔ａからｃはレベル０、続く時間間隔ｄは負のレベル−１、そして残りの時間間隔ｅとｆの時間はレベル０となる波形の電圧である。負のレベル−１の矩形波パルスは寄生信号４０である。【００８２】
非選択信号２６と白書込み信号２４がそれぞれ印加されたときには、選択期間Ｔの最初の時間間隔ａからｄはレベル０、続く時間間隔ｅは負のレベル−１、そして残りの時間間隔ｆはレベル０となる波形の電圧である。負のレベル−１の矩形波パルスは寄生信号４０である。【００８３】
図１３は、図１１の従来の駆動モードＥで駆動されたときの双安定液晶表示パネルのコモン・セグメント間電圧の波形を示す図である。図１３から明らかな如く、従来の駆動モードＥで駆動されたときには、双安定液晶表示パネル１０には非選択時に寄生信号４０がパネル全面に印加される。この寄生信号４０は小パルス幅・小振幅の負の矩形波パルスである。具体的には、パルス幅は１．８ｍｓで振幅は６．４Ｖの矩形波パルスである。これに対して、選択時のコモン・セグメント間電圧である黒表示電圧３３は、パルス幅が４ｍｓで振幅が１４Ｖの正の矩形波パルスとそれに続くパルス幅が同程度で階段状に振幅が変化する負の矩形状パルスで構成されている。消去パルス３１はパルス幅が４ｍｓで振幅が２４Ｖの正の矩形波パルスであり、これに続く直流分キャンセル用パルス３２はパルス幅が４ｍｓで振幅が２４Ｖの負の矩形波パルスである。【００８４】
寄生信号４０は、この例の如く、選択時のコモン・セグメント間電圧である黒表示電圧３３に比べてパルス幅も振幅も相当に小さいものであるが、非選択時にパネル全面に現れるので、常温で長時間の連続駆動を行った場合、実験結果によると２００時間近くで、双安定液晶表示パネルの下部に「にじみ」が発生し、表示が不可能になるほど影響は大きいものである。【００８５】
（寄生信号をキャンセルする駆動方法）
次に、図１１の駆動モードＥで駆動されたときに生じる寄生信号４０による直流分をキャンセルする駆動方法を、図１２を参照して説明する。【００８６】
図１２において、黒書込み信号２３の電圧波形は、図１２の（ａ）に示す如く、選択期間Ｔの最初の時間間隔ａとｂは正のレベル＋Ｖ５、続く時間間隔ｃは正のレベル＋Ｖ１２、続く時間間隔ｄは正のレベル＋Ｖ０、続く時間間隔ｅは正のレベル＋Ｖ１２、そして残りの時間間隔ｆは正のレベル＋Ｖ５となる波形である。これは図１１の従来の駆動モードＥにおける黒書込み信号２３の電圧波形と同じである。【００８７】
白書込み信号２４の電圧波形は、図１２の（ａ）に示す如く、選択期間Ｔの最初の時間間隔ａとｂは正のレベル＋Ｖ５、続く時間間隔ｃとｄは正のレベル＋Ｖ１２、続く時間間隔ｅは正のレベル＋Ｖ０、そして残りの時間間隔ｆは正のレベル＋Ｖ５となる波形である。これは図１１の従来の駆動モードＥにおける白書込み信号２４の電圧波形と同じである。【００８８】
選択時にコモン端子に印加される選択信号２５の電圧波形は、図１２の（ｂ）に示す如く、選択期間Ｔの最初の時間間隔ａは正のレベル＋Ｖ３４、続く時間間隔ｂは正のレベル＋Ｖ１２、続く時間間隔ｃとｄは正のレベル＋Ｖ５、続く時間間隔ｅは正のレベル＋ＶＣＸ、そして残りの時間間隔ｆは正のレベル＋Ｖ５となる波形である。これは、矩形波の付加パルス３５が付加された分だけ、図１１の従来の駆動モードＥにおける選択信号２５の電圧波形とは異なる。【００８９】
非選択時にコモン端子に印加される非選択信号２６の電圧波形は、図１２の（ｃ）に示す如く、選択期間Ｔの最初の時間間隔ａは正のレベル＋Ｖ３４、続く時間間隔ｂは正のレベル＋Ｖ５、続く時間間隔ｃからｅは正のレベル＋Ｖ１２、そして残りの時間間隔ｆは正のレベル＋Ｖ５となる波形である。これは、矩形波の付加パルス３６が付加された分だけ、図１１の従来の駆動モードＥにおける非選択信号２６とは異なる。【００９０】
選択時にコモン端子とセグメント端子に上述の如き電圧が印加されると、コモン端子とセグメント端子間のコモン・セグメント間電圧は、図１２の（ｄ）に示す如くとなる。図１２の（ｄ）において、消去パルス３１は正のレベル＋５の矩形波であり、これに続いて印加される消去パルスの直流分消去用パルス３２は負のレベル−５の矩形波である。これに続いて印加される消去パルスの直流分消去用パルス３２は負のレベル−５の矩形波である。これらは、これは図１１の従来の駆動モードＥにおける消去パルス３１と消去パルスの直流分消去用パルス３２の電圧波形と同じである。【００９１】
選択信号２５と黒書込み信号２３がそれぞれ印加されたときの黒表示電圧３３は、選択期間Ｔの最初の時間間隔ａはレベル＋１、続く時間間隔ｂは正のレベル＋４、続く時間間隔ｃは負のレベル−４、続く時間間隔ｄは負のレベル−５、続く時間間隔ｅは負のレベル−２、そして残りの時間間隔ｆの時間は正のレベル＋０となる波形の電圧である。これは、矩形の付加部分３７が付加された分だけ、図１１の従来の駆動モードＥにおける黒表示電圧３３とは異なる。【００９２】
また、選択信号２５と白書込み信号２４がそれぞれ印加されたときの白表示電圧３４は、選択期間Ｔの最初の時間間隔ａは正のレベル＋１、続く時間間隔ｂは正のレベル＋４、続く時間間隔ｃとｄは負のレベル−４、続く時間間隔ｅは負のレベル−３、そして残りの時間間隔ｆの時間はレベル０となる波形の電圧である。これは、矩形の付加部分３７、３８が付加された分だけ、図１１の従来の駆動モードＥにおける白表示電圧３４とは異なる。【００９３】
非選択時にコモン端子とセグメント端子に上述の如き電圧が印加されると、コモン端子とセグメント端子間のコモン・セグメント間電圧は、図１２の（ｅ）に示す如くとなる。図１２の（ｅ）において、消去パルス３１は正のレベル＋５の矩形波であり、これに続いて印加される消去パルスの直流分消去用パルス３２は負のレベル−５の矩形波である。これらは、これは図１１の従来の駆動モードＥにおける消去パルス３１と消去パルスの直流分消去用のキャンセルパルス４１の電圧波形と同じである。【００９４】
非選択信号２６と黒書込み信号２３がそれぞれ印加されたときには、選択期間Ｔの最初の時間間隔ａはレベル＋１、時間間隔ｂとｃはレベル０、続く時間間隔ｄは負のレベル−１、そして残りの時間間隔ｅとｆはレベル０となる波形の電圧である。前述の負のレベル−１の矩形波パルスは寄生信号４０である。前述の正のレベル＋１の矩形波パルスは、寄生信号４０とパルス幅と振幅が同じで極性が反対のキャンセルパルス４１である。【００９５】
非選択信号２６と白書込み信号２４がそれぞれ印加されたときには、選択期間Ｔの最初の時間間隔ａは正のレベル＋１、続く時間間隔ｂからｄはレベル０、続く時間間隔ｅは負のレベル−１、そして残りの時間間隔ｆはレベル０となる波形の電圧である。前述の負のレベル−１の矩形波パルスは寄生信号４０である。前述の正のレベル＋１の矩形波パルスは、寄生信号４０とパルス幅と振幅が同じで極性が反対のキャンセルパルス４１である。【００９６】
キャンセルパルス４１は、図１１の双安定ネマチックのドットマトリクス液晶表示パネルの駆動モードＥの選択信号２５に付加パルス３５を、且つ非選択信号２６に付加パルス３６を追加することによって生成するようにしたものである。付加パルス３５と付加パルス３６は、選択期間Ｔの最初の時間間隔ａにおいてコモン駆動部１１から正の電位＋Ｖ３４をコモン端子に印加するだけで生成できる。そして、これらの付加パルス３５と付加パルス３６を生成させても、黒表示電圧３３と白表示電圧３４の選択機能を阻害することは無い。【００９７】
キャンセルパルス４１は、コモン端子に選択時に印加されるコモン選択信号と非選択時に印加されるコモン非選択信号のそれぞれに元の波形を変形させないタイミングでキャンセルパルス生成用パルスを付加することによって得られるものである。キャンセルパルス生成用パルスである付加パルス３５と付加パルス３６は、制御部１４がコモン駆動部１１の特定の駆動電位を所定時間選択するように制御することによって発生するものである。【００９８】
図１１と図１２を比較すれば明らかな如く、本発明の実施例は、非選択時に発生する寄生信号４０による直流分を、寄生信号４０とパルス幅が同等で極性が反対のキャンセルパルス４１によりキャンセルするようにしたものである。そして、キャンセルパルス４１は、コモン選択信号２５に付加パルス３５を、非選択信号２６に付加パルス３６をそれぞれ追加して発生するようにした。ただし、この付加パルス３５と３６は同一のものである。【００９９】
図１４は、図１２の本発明に係る駆動モードＥで駆動されたときの双安定液晶表示パネルのコモン・セグメント間電圧の波形を示す図である。図１４から明らかな如く、従来の駆動モードＥで駆動されたときには、双安定液晶表示パネルには非選択時に寄生信号４０とキャンセルパルス４１がパネル全面に印加される。キャンセルパルス４１は、寄生信号４０とパルス幅と振幅が同じで、極性が反対のパルスである。従って、本発明に係る駆動モードＥで駆動されたとき、寄生信号による直流分はキャンセルパルスによってキャンセルされることとなった。その結果、双安定液晶表示パネルに「にじみ」は生じなくなった。【０１００】
しかも、キャンセルパルス４１の生成には、従来の駆動デバイスのハードウエア構成を何ら変更する必要はなく、ソフトウエアの一部変更で実現できるという特長がある。例えば、図１に示す如く、駆動デバイスを水平方向のコモンラインを駆動するコモン駆動部１１、垂直方向のセグメントラインを駆動するセグメント駆動部１２、駆動電位（Ｖ０、Ｖ１２、Ｖ３４、Ｖ５、ＶＣＸ）を生成する電源回路１３、及びコモン駆動部１１とセグメント駆動部１２及び電源回路１３を制御する制御部１４で構成した場合、コモン駆動部１１を制御する制御部１４のソフトウエアを一部変更するだけでよい。なお、キャンセルパルス４１は、実施例においては、寄生信号４０とパルス幅が同等の極性が反対の対称性を有するパルスであったが、「にじみ」が実用上問題にならない程度であれば必ずしも厳密な対称性を求める必要は無い。【０１０１】
ところで、本発明が適用できる正極駆動または負極駆動のみで白黒を選択できる双安定ネマチックのドットマトリクス液晶表示パネルの駆動方法は、図７から図１０に例示する如く様々であるが、この中で本発明に係る方法が適用できる駆動モードは、正極駆動モード（Ｍｏｄｅ−Ｂ）と負極駆動モード（Ｍｏｄｅ−Ｄ）である。ここに図示しない正極駆動モードまたは負極駆動モードの中にも、本発明が適用できるものがあることは勿論である。【０１０２】
以上、本発明により、双安定ネマチックのドットマトリクス液晶表示パネル駆動デバイスにおいて、表示書き換えの性能を低下させないで、しかも従来の双安定ネマチックのドットマトリクス液晶表示パネルの駆動デバイスを大幅に変更することなく、寄生信号に起因する「にじみ」を発生させないように駆動する双安定ネマチックのドットマトリクス液晶表示パネルの駆動デバイスを提供することができた。
【産業上の利用可能性】
【０１０３】
本発明をもってすることで、液晶表示に用いるものすべてにおいて利用可能である。その中でも特に電子棚札や電子ペーパーの用途において特に産業上の利用可能性が高い。
【符号の説明】
【０１０４】
１  基板
２  電極
３  配向膜
４  ネマチック液晶の分子
５  偏光板
１０  双安定液晶表示パネル
１１  コモン駆動部
１２  セグメント駆動部
１３  電源回路
１４  制御部
２１  消去パルス発生用信号
２２  直流分キャンセル用パルス
２３  黒書込み信号
２４  白書込み信号
２５  コモン選択信号
２６  コモン非選択信号
３１  消去パルス
３２  直流分キャンセル用パルス
３３  黒表示電圧
３４  白表示電圧
３５、３６  付加パルス
３７、３８  付加部分
４０  寄生信号
４１  キャンセルパルス
５１  正極駆動領域
５２  負極駆動領域
５７  混在領域
【図１】
2010095539.tif 000006
【図２】
2010095539.tif 000007
【図３】
2010095539.tif 000008
【図４】
2010095539.tif 000009
【図５】
2010095539.tif 000010
【図６】
2010095539.tif 000011
【図７】
2010095539.tif 000012
【図８】
2010095539.tif 000013
【図９】
2010095539.tif 000014
【図１０】
2010095539.tif 000015
【図１１】
2010095539.tif 000016
【図１２】
2010095539.tif 000017
【図１３】
2010095539.tif 000018
【図１４】
2010095539.tif 000019
【図１５】
2010095539.tif 000020
【図１６】
2010095539.tif 000021
【国際調査報告】
2010095539.tif 000022
2010095539.tif 000023
2010095539.tif 000024
2010095539.tif 000025
2010095539.tif 000026